【手続補正書】
【提出日】平成16年10月20日(2004.10.20)
【手続補正１】
【補正対象書類名】明細書
【補正対象項目名】発明の名称
【補正方法】変更
【補正の内容】
【発明の名称】定着装置
【手続補正２】
【補正対象書類名】明細書
【補正対象項目名】特許請求の範囲
【補正方法】変更
【補正の内容】
【特許請求の範囲】
【請求項１】
定着回転体と、加圧回転体と、前記加圧回転体を回転自在に支持する揺動可能な揺動部材と、前記定着回転体に前記加圧回転体を圧接するために前記揺動部材を加圧する加圧手段と、前記加圧手段の加圧力に抗して前記定着回転体に対する前記加圧回転体の圧接状態を解除する加圧解除手段と、を有し、前記定着回転体と前記加圧回転体により形成されるニップ部で未定着像を担持する記録媒体を挟持搬送して定着を行う定着装置において、
前記加圧解除手段は駆動手段により回転駆動するカム及び前記カムの回転により動作するトグル機構であり、前記カムの回転により動作するトグル機構により前記揺動部材を前記加圧手段の加圧力に抗して揺動させることで前記定着回転体と前記加圧回転体の加圧状態を解除することを特徴とする定着装置。
【請求項２】
前記駆動手段の駆動源は、ステッピングモータであることを特徴とする請求項１に記載の定着装置。
【請求項３】
前記カムは、加圧解除状態を保持するための平坦部が設けられていることを特徴とする請求項１又は請求項２に記載の定着装置。
【請求項４】
前記定着装置は記録媒体に画像を形成する画像形成装置に搭載されており、前記加圧解除が行われるのは、非画像形成時であることを特徴とする請求項１に記載の定着装置。
【請求項５】
前記定着装置は記録媒体に画像を形成する画像形成装置に搭載されており、前記加圧解除が行われるのは、ジャム検知時であることを特徴とする請求項１に記載の定着装置。
【手続補正３】
【補正対象書類名】明細書
【補正対象項目名】００１０
【補正方法】変更
【補正の内容】
【００１０】
【課題を解決するための手段】
上記目的を達成するための本発明の代表的な構成は、定着回転体と、加圧回転体と、前記加圧回転体を回転自在に支持する揺動可能な揺動部材と、前記定着回転体に前記加圧回転体を圧接するために前記揺動部材を加圧する加圧手段と、前記加圧手段の加圧力に抗して前記定着回転体に対する前記加圧回転体の圧接状態を解除する加圧解除手段と、を有し、前記定着回転体と前記加圧回転体により形成されるニップ部で未定着像を担持する記録媒体を挟持搬送して定着を行う定着装置において、前記加圧解除手段は駆動手段により回転駆動するカム及び前記カムの回転により動作するトグル機構であり、前記カムの回転により動作するトグル機構により前記揺動部材を前記加圧手段の加圧力に抗して揺動させることで前記定着回転体と前記加圧回転体の加圧状態を解除することを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
更に、前記定着装置は記録媒体に画像を形成する画像形成装置に搭載されており、前記加圧解除が行われるのは、非画像形成時であることを特徴とする。
【手続補正８】
【補正対象書類名】明細書
【補正対象項目名】００１７
【補正方法】変更
【補正の内容】
【００１７】
更に、前記定着装置は記録媒体に画像を形成する画像形成装置に搭載されており、前記加圧解除が行われるのは、ジャム検知時であることを特徴とする。
【手続補正９】
【補正対象書類名】明細書
【補正対象項目名】００１８
【補正方法】変更
【補正の内容】
【００１８】
上記構成によれば、加圧解除手段としてのカム及びトグル機構により前記揺動部材を加圧手段の加圧力に抗して揺動させることで定着回転体と加圧回転体の加圧が解除されるので、例えば非画像形成時に定着回転体と加圧回転体の加圧が解除できるようになり、該定着回転体及び加圧回転体が弾性体層を有していても、該弾性体層が加圧力により永久変形してしまうのを防止することが可能となる。
【手続補正１０】
【補正対象書類名】明細書
【補正対象項目名】００２０
【補正方法】変更
【補正の内容】
【００２０】
【発明の実施の形態】
以下に、図面を参照して本発明を適用した定着装置の実施の形態について詳しく説明する。尚、以下の説明では、カラー画像を形成することの可能な多色画像形成装置における定着装置を例示している。まず参考例について説明し、次に本発明に係る実施の形態を例示して説明する。
【手続補正１１】
【補正対象書類名】明細書
【補正対象項目名】００２１
【補正方法】変更
【補正の内容】
【００２１】
〔参考例〕
参考例に係る定着装置及び画像形成装置について図１〜図３を参照して詳しく説明する。
【手続補正１２】
【補正対象書類名】明細書
【補正対象項目名】００２２
【補正方法】変更
【補正の内容】
【００２２】
｛画像形成装置の全体構成｝
まず、図３を参照して画像形成装置の概略構成について説明する。図３は本発明に係る画像形成装置全体の概略構成を示す縦断面図である。尚、本参考例では、画像形成装置の一形態として、電子写真方式を採用した４色フルカラーのレーザービームプリンタを例示している。
【手続補正１３】
【補正対象書類名】明細書
【補正対象項目名】００３１
【補正方法】変更
【補正の内容】
【００３１】
第２の像担持体としての転写ユニット５は、感光体ドラム１から順次に１次転写されて重ねられた複数のトナー像を、一括して記録媒体Ｓに２次転写するものである。転写ユニット５は、矢印Ｒ５方向に走行する中間転写ベルト５ａを備えている。中間転写ベルト５ａは、周長約 440ｍｍのベルトであり、駆動ローラ５ｂ、２次転写対向ローラ５ｃ、従動ローラ５ｄの３本のローラにより掛け渡されている。従動ローラ５ｄに近接して中間転写ベルト５ａを感光体ドラム１に押圧する位置と中間転写ベルト５ａが感光体ドラム１から離れる位置をとるように後退する押さえローラ５ｊを備えている。中間転写ベルト５ａは、駆動ローラ５ｂの回転によって、矢印Ｒ５方向に走行する。更に、中間転写ベルト５ａの外側の所定位置には、中間転写ベルト５ａの表面に接離可能なクリーニングユニット５ｅが設けてあり、後述の記録媒体Ｓに一括して２次転写後に残った転写残トナーを除去する。このクリーニングユニット５ｅは帯電ローラ５ｆを中間転写ベルト５ａに当接させてトナーに転写時と逆の電荷を与える。逆の電荷を付与されたトナーは、感光体ドラム１に静電的に付着され、その後、感光体ドラム１用の後述のクリーニング装置６によって回収されるものである。尚、中間転写ベルト５ａのクリーニング方法としては、上述の静電クリーニングに限らず、ブレードやファーブラシ等の機械的な方法や、これらを併用したもの等でも良い。
【手続補正１４】
【補正対象書類名】明細書
【補正対象項目名】００３９
【補正方法】変更
【補正の内容】
【００３９】
｛定着装置の構成｝
次に、定着装置80の構成及びその動作について図１及び図２を参照して詳しく説明する。図１は定着装置の概略斜視図であり、図２はその側面図である。
【手続補正１５】
【補正対象書類名】明細書
【補正対象項目名】００４８
【補正方法】変更
【補正の内容】
【００４８】
尚、モータ98としてステッピングモータを用いている。これは、モータ98は一定回転数だけ回転し停止することが必要であり、ステッピングモータを用いることによりこれが容易となるからである。
【手続補正１６】
【補正対象書類名】明細書
【補正対象項目名】００５４
【補正方法】変更
【補正の内容】
【００５４】
〔第１実施形態〕
第１実施形態に係る定着装置及び画像形成装置について図４及び図５を参照して詳しく説明する。尚、画像形成装置の概略構成は、前述した参考例と同等であるため、ここでは詳しい説明は省略する。更に、以下の説明で、前述した参考例と同等の機能を有する部材には同一符号を付し、その説明は省略する。
【手続補正１７】
【補正対象書類名】明細書
【補正対象項目名】００５５
【補正方法】変更
【補正の内容】
【００５５】
｛定着装置の構成｝
第１実施形態に係る定着装置80の構成及びその動作について図４及び図５を参照して詳しく説明する。図４は第１実施形態に係る定着装置の概略斜視図であり、図５はその側面図である。
【手続補正１８】
【補正対象書類名】明細書
【補正対象項目名】００５７
【補正方法】変更
【補正の内容】
【００５７】
参考例ではカム89が回転し、該カム89が加圧フレーム86を直接押し下げて定着ローラ81と加圧ローラ82のニップＮを解放（加圧解除）するようにしているが、本実施形態では、図４及び図５に示すように、加圧解除手段をカム89及びトグル機構100で構成し、該トグル機構100をカム89の回転により動作させ、加圧フレーム86を押し下げて定着ローラ81と加圧ローラ82のニップＮを解放（加圧解除）するようにしている。
【手続補正１９】
【補正対象書類名】明細書
【補正対象項目名】００５８
【補正方法】変更
【補正の内容】
【００５８】
図４及び図５において、101 ，102 はリンク部材であり、該リンク部材101 ，102 は連結ピン103 により回転可能に連結されている。更に、このリンク部材101 ，102 の一端は定着フレーム84に回転可能に支持され、他端は加圧フレーム86に回転可能に支持されている。加圧フレーム86は参考例と同様、定着フレーム84に揺動可能に支持されているため、前記リンク部材101 ，102 の連結部を変位させることにより、トグル機構100 となる。その他の構成については、参考例と同様であるため、説明は省略する。
【手続補正２０】
【補正対象書類名】明細書
【補正対象項目名】００６３
【補正方法】変更
【補正の内容】
【００６３】
尚、前記ＣＰＵ（不図示）による切換判断は、前述した参考例と同様であるため、ここでは説明を省略する。
【手続補正２１】
【補正対象書類名】明細書
【補正対象項目名】００６９
【補正方法】変更
【補正の内容】
【００６９】
【発明の効果】
以上説明したように、本発明によれば、加圧解除手段としてのカム及びトグル機構により前記揺動部材を加圧手段の加圧力に抗して揺動させることで定着回転体と加圧回転体の加圧が解除されるので、例えば非画像形成時に定着回転体と加圧回転体の加圧が解除できるようになり、該定着回転体及び加圧回転体が弾性体層を有していても、該弾性体層が加圧力により永久変形してしまうのを防止することができる。
【手続補正２２】
【補正対象書類名】明細書
【補正対象項目名】図１
【補正方法】変更
【補正の内容】
【図１】
参考例に係る定着装置の概略斜視図
【手続補正２３】
【補正対象書類名】明細書
【補正対象項目名】図２
【補正方法】変更
【補正の内容】
【図２】
参考例に係る定着装置の側面図
【手続補正２４】
【補正対象書類名】明細書
【補正対象項目名】図３
【補正方法】変更
【補正の内容】
【図３】
参考例に係る定着装置を有する画像形成装置全体の概略構成を示す縦断面図
【手続補正２５】
【補正対象書類名】明細書
【補正対象項目名】図４
【補正方法】変更
【補正の内容】
【図４】
第１実施形態に係る定着装置の概略斜視図
【手続補正２６】
【補正対象書類名】明細書
【補正対象項目名】図５
【補正方法】変更
【補正の内容】
【図５】
第１実施形態に係る定着装置の側面図